【手続補正書】
【提出日】平成15年12月11日(2003.12.11)
【手続補正１】
【補正対象書類名】明細書
【補正対象項目名】発明の名称
【補正方法】変更
【補正の内容】
【発明の名称】チケット管理システム、チケット発行装置、チケット入力装置、ならびにその制御方法及びそれらを実施するためのプログラム及びコンピュータ読み取り可能な記憶媒体


【手続補正２】
【補正対象書類名】明細書
【補正対象項目名】特許請求の範囲
【補正方法】変更
【補正の内容】
【特許請求の範囲】
【請求項１】
所定の情報を電子チケットに付加する付加手段を備えたチケット発行装置と、
上記付加手段により所定の情報が付加された電子チケットをプリント出力した出力チケットから上記所定の情報を取得可能かどうか判別する判別手段を有するチケット入力装置とを備えたことを特徴とするチケット管理システム。
【請求項２】
上記出力チケットから取得された所定の情報に基づいて上記出力チケットを認証する認証手段を備えたことを特徴とする請求項１に記載のチケット管理システム。
【請求項３】
上記付加手段は、電子透かし技術を用いて上記電子チケットに上記所定の情報を付加することを特徴とする請求項１または２に記載のチケット管理システム。
【請求項４】
上記付加手段は、上記出力チケットに上記所定の情報が不可視にプリント出力されるよう、上記所定の情報を電子チケットに付加することを特徴とする請求項１〜３の何れか１項に記載のチケット管理システム。
【請求項５】
上記付加手段は、鍵を用いて電子チケットに上記所定の情報を付加し、上記判別手段は、鍵を用いて上記付加手段により付加された所定の情報を上記入力された出力チケットから取得可能かどうか判別することを特徴とする請求項１〜４の何れか１項に記載のチケット管理システム。
【請求項６】
上記付加手段は、鍵を用いて暗号化された上記所定の情報を上記電子チケットに付加し、上記判別手段は、上記付加手段により付加された暗号化された上記所定の情報を鍵を用いて復号して取得可能かどうか判別することを特徴とする請求項１〜５の何れか１項に記載のチケット管理システム。
【請求項７】
上記所定の情報は、上記電子チケットの内容に関する情報、あるいは、上記電子チケットを一意に識別するため情報、あるいは、上記電子チケットの発行者を一意に識別するための情報、あるいは、上記電子チケットの発行日時に関する情報、あるいは、上記電子チケットの価値に関する情報のうち少なくも１つであることを特徴とする請求項１〜６の何れか１項に記載のチケット管理システム。
【請求項８】
電子透かし技術を用いて所定の情報を電子チケットに付加する付加手段と、上記付加手段により所定の情報を付加された電子チケットを出力する出力手段とを備えたことを特徴とするチケット発行装置。
【請求項９】
上記付加手段は、上記電子チケットをプリント出力した出力チケットに上記所定の情報が不可視にプリント出力されるよう、上記所定の情報を上記電子チケットに付加することを特徴とする請求項８に記載のチケット発行装置。
【請求項１０】
上記付加手段は、上記出力チケットから上記所定の情報が取得できるよう、上記所定の情報を上記電子チケットに付加することを特徴とする請求項８または９に記載のチケット発行装置。
【請求項１１】
上記出力チケットから取得された所定の情報を受信する受信手段と、上記受信手段により受信した所定の情報に基づいて、上記出力チケットを認証する認証手段とを備えたことを特徴とする請求項８〜１０の何れか１項に記載のチケット発行装置。
【請求項１２】
電子チケットをプリント出力した出力チケットを入力する入力手段と、上記入力手段により入力された出力チケットから所定の情報を取得できるか否か判別する判別手段とを備えたことを特徴とするチケット入力装置。
【請求項１３】
上記出力チケットを認証する認証装置へ上記出力チケットから取得した所定の情報を送信する送信手段を備えたことを特徴とする請求項１２に記載のチケット入力装置。
【請求項１４】
電子透かし技術を用いて所定の情報を電子チケットに付加する付加工程と、上記付加工程において所定の情報を付加された電子チケットを出力する出力工程とを備えたことを特徴とするチケット発行装置の制御方法。
【請求項１５】
電子チケットをプリント出力した出力チケットを入力する入力工程と、上記入力工程において入力された出力チケットから所定の情報を取得できるか否か判別する判別工程とを備えたことを特徴とするチケット入力装置の制御方法。
【請求項１６】
電子透かし技術を用いて所定の情報を電子チケットに付加する付加工程と、上記付加工程において所定の情報を付加された電子チケットを出力する出力工程とをチケット発行装置においてコンピュータに実行させるプログラムを記憶したことを特徴とするコンピュータ読み取り可能な記憶媒体。
【請求項１７】
電子チケットをプリント出力した出力チケットを入力する入力工程と、上記入力工程において入力された出力チケットから所定の情報を取得できるか否か判別する判別工程とをチケット入力装置においてコンピュータに実行させるプログラムを記憶したことを特徴とするコンピュータ読み取り可能な記憶媒体。
【請求項１８】
電子透かし技術を用いて所定の情報を電子チケットに付加する付加工程と、上記付加工程において所定の情報を付加された電子チケットを出力する出力工程とをチケット発行装置においてコンピュータに実行させることを特徴とするコンピュータプログラム。
【請求項１９】
電子チケットをプリント出力した出力チケットを入力する入力工程と、上記入力工程において入力された出力チケットから所定の情報を取得できるか否か判別する判別工程とをチケット入力装置においてコンピュータに実行させることを特徴とするコンピュータプログラム。
【手続補正３】
【補正対象書類名】明細書
【補正対象項目名】０００１
【補正方法】変更
【補正の内容】
【０００１】
【発明の属する技術分野】
本発明はチケットを電子化した電子チケットとして発行し、その電子チケットを出力したチケットを流通させるチケット管理システム、チケット発行装置、チケット入力装置、ならびにその制御方法及びそれらを実施するためのプログラム及びコンピュータ読み取り可能な記憶媒体に関する。


【手続補正４】
【補正対象書類名】明細書
【補正対象項目名】００１２
【補正方法】変更
【補正の内容】
【００１２】
本発明の記憶媒体は、電子透かし技術を用いて所定の情報を電子チケットに付加する付加工程と、上記付加工程において所定の情報を付加された電子チケットを出力する出力工程とをチケット発行装置においてコンピュータに実行させるプログラムを記憶したことを特徴としている。
また、本発明の他の特徴とするところは、電子チケットをプリント出力した出力チケットを入力する入力工程と、上記入力工程において入力された出力チケットから所定の情報を取得できるか否か判別する判別工程とをチケット入力装置においてコンピュータに実行させるプログラムを記憶したことを特徴としている。


【手続補正５】
【補正対象書類名】明細書
【補正対象項目名】００１３
【補正方法】変更
【補正の内容】
【００１３】
本発明のコンピュータプログラムは、電子透かし技術を用いて所定の情報を電子チケットに付加する付加工程と、上記付加工程において所定の情報を付加された電子チケットを出力する出力工程とをチケット発行装置においてコンピュータに実行させることを特徴としている。
また、本発明の他の特徴とするところは、電子チケットをプリント出力した出力チケットを入力する入力工程と、上記入力工程において入力された出力チケットから所定の情報を取得できるか否か判別する判別工程とをチケット入力装置においてコンピュータに実行させることを特徴としている。


【手続補正６】
【補正対象書類名】明細書
【補正対象項目名】００１４
【補正方法】変更
【補正の内容】
【００１４】
【発明の実施の形態】
［第１の実施の形態］
以下、本発明のチケット管理システム、チケット発行装置、チケット入力装置、ならびにその制御方法及びそれらを実施するためのプログラム及びコンピュータ読み取り可能な記憶媒体の第１の実施の形態を説明する。